【事件の表示】
　特願２０１４−　２８８１６「遊技機」拒絶査定不服審判事件〔平成２７年　８月２４日出願公開、特開２０１５−１５０３３２〕について、次のとおり審決する。
【結　論】
　本件審判の請求は、成り立たない。
【理　由】
第１　手続の経緯
　本願は、平成２６年２月１８日に特許出願されたものであって、平成２７年３月２７日付けで拒絶理由通知がなされ、これに対し平成２７年５月２５日付けで手続補正がなされたが平成２７年８月７日付けで拒絶査定がなされ、これに対して、平成２７年１１月２日付けで拒絶査定不服審判の請求がなされるとともに手続補正（以下、「本件補正」という。）がなされたものである。
第２　本件補正についての補正却下の決定
［補正却下の決定の結論］
　本件補正を却下する。
［理由］
１．本件補正の概要
　本件補正は、特許請求の範囲を補正する内容を含んでおり、本件補正により、補正前の請求項１及び２は、
（補正前：平成２７年５月２５日付け手続補正）
「【請求項１】
　遊技領域に設けられた始動領域を遊技球が通過することに基づいて特別遊技を実行するか否かの特別遊技判定を行う判定手段と、
　前記特別遊技判定が行われると、当該特別遊技判定の結果を表す図柄表示を行う図柄表示手段と、
　前記特別遊技の実行の判定結果を表す図柄表示が行われると前記特別遊技を実行する特別遊技手段と、
　前記図柄表示及び前記特別遊技が行われているときに所定の演出を制御する演出制御手段と、
　前記遊技領域を流下してアウト球となった遊技球を検出するアウト球検出手段と、
　特定の演出モードを設定する特定演出モード設定手段と、を備え、
　前記演出制御手段は、
　前記特定の演出モードが設定されているとき、前記アウト球に関する所定条件が成立していると特定演出を実行し、
　前記特定の演出モードが設定されているとき、前記アウト球に関する所定条件が成立していないと前記特定演出を実行しないことを特徴とする遊技機。
　【請求項２】
　前記特定の演出モードの設定に対する設定指示を受け付ける設定指示受付手段を備え、
　前記特定演出モード設定手段は、前記設定指示受付手段が前記設定指示を受け付けると、前記特定の演出モードを設定することを特徴とする請求項１に記載の遊技機。」
から、補正後の請求項１
（補正後：本件補正である平成２７年１１月２日付け手続補正）
「【請求項１】
　遊技領域に設けられた始動領域を遊技球が通過することに基づいて特別遊技を実行するか否かの特別遊技判定を行う判定手段と、
　前記特別遊技判定が行われると、当該特別遊技判定の結果を表す図柄表示を行う図柄表示手段と、
　前記特別遊技の実行の判定結果を表す図柄表示が行われると前記特別遊技を実行する特別遊技手段と、
　前記図柄表示及び前記特別遊技が行われているときに所定の演出を制御する演出制御手段と、
　前記遊技領域を流下してアウト球となった遊技球を検出するアウト球検出手段と、
　特定の演出モードを設定する特定演出モード設定手段と、
　
前記特定の演出モードの設定に対する設定指示を受け付ける設定指示受付手段と、
　前記特定演出モード設定手段は、前記設定指示受付手段が前記設定指示を受け付けると、前記特定の演出モードを設定し
　前記演出制御手段は
、前
に検出された
の個数が第１の範囲に属することに応じて第１
する一方、前
に検出された
の個数が、前記第１の範囲異なる第２の範囲に属することに応じて、前記第１特定演出と異なる第２
する特定演出制御手段を有する
に補正された（下線は、補正箇所を明示するために当審で付した。）。
２．本件補正の適否
（１）本件補正の内容
　本件補正は、特許請求の範囲の請求項１について、以下に挙げる補正事項を含むものである。
ａ．補正前の請求項１における「特定の演出モードを設定する特定演出モード設定手段と、を備え、」という記載を、「特定の演出モードを設定する特定演出モード設定手段と、
前記特定の演出モードの設定に対する設定指示を受け付ける設定指示受付手段と、
前記特定演出モード設定手段は、前記設定指示受付手段が前記設定指示を受け付けると、前記特定の演出モードを設定し、
ｂ．補正前の請求項１に記載の「前記演出制御手段は、前記特定の演出モードが設定されているとき、前記アウト球に関する所定条件が成立していると特定演出を実行し、前記特定の演出モードが設定されているとき、前記アウト球に関する所定条件が成立していないと前記特定演出を実行しない」という記載を、「前記演出制御手段は
、前
に検出された
の個数が第１の範囲に属することに応じて第１
する一方、前
の個数が、前記第１の範囲と異なる第２の範囲に属することに応じて、前記第１特定演出と異なる第２
する特定演出制御手段を有する
（２）補正の目的
　ａ．補正事項ａ．について
　補正事項ａ．は、「特定の演出モード」の「設定」に関する構成を限定するために、補正前の請求項２に記載された「前記特定の演出モードの設定に対する設定指示を受け付ける設定指示受付手段」の構成を、補正前の請求項１に付加すると共に、補正前の「特定演出モード設定手段」を、「前記設定指示受付手段が前記設定指示を受け付けると、前記特定の演出モードを設定」する構成に限定したものである。
　そして、補正前後における発明特定事項の産業上の利用分野及び解決しようとする課題が同一であるので、特許法第１７条の２第５項第２号に規定する特許請求の範囲の減縮を目的とするものに相当する。
　
　ｂ．補正事項ｂ．について
　補正事項ｂ．は、補正前の「特定の演出モードが設定されているとき、前記アウト球に関する所定条件が成立していると特定演出を実行し」との発明特定事項を、「前記特定の演出モードが設定されているときに検出された前記アウト球の個数が第１の範囲に属することに応じて第１特定演出を実行する」構成に補正したものであり、補正前の「特定演出」を、「第１特定演出」に補正したうえで、アウト球に関する所定条件を、アウト球の個数が第１の範囲に属することに限定した補正である。
　そして、補正事項ｂ．は、補正前の「特定の演出モードが設定されているとき、前記アウト球に関する所定条件が成立していないと前記特定演出を実行しない」との発明特定事項を、「特定の演出モードが設定されているときに検出された前記アウト球の個数が、前記第１の範囲と異なる第２の範囲に属することに応じて、前記第１特定演出と異なる第２特定演出を実行する」構成に補正するものであり、「所定条件が成立していない」事象を、「前記第１の範囲と異なる第２の範囲に属する」事象に限定し、「特定演出を実行しない」との発明特定事項を、「第１特定演出と異なる第２特定演出を実行する」構成に限定したものである。
　また、補正前後における発明特定事項の産業上の利用分野及び解決しようとする課題が同一であるので、補正事項ｂ．は、特許法第１７条の２第５項第２号に規定する特許請求の範囲の減縮を目的とするものに相当する。
　
　ｃ．本件補正
　以上のように、補正事項ａ．補正事項ｂ．共に、補正前の発明特定事項を限定するものであるから、本件補正は、特許法第１７条の２第５項第２号に規定する特許請求の範囲の減縮を目的とするものに相当する。そして、本件補正は、新規事項を追加するものではない。
３．独立特許要件について
　本件補正後の請求項１に記載された発明（以下、「本願補正発明」という。）が、特許出願の際独立して特許を受けることができるものであるか（特許法第１７条の２第６項で準用する特許法第１２６第７項の規定に適合するか）について以下に検討する。
（１）本件補正後の請求項１に係る発明
　補正後の請求項１に係る発明（以下、「本願補正発明」という。）は，上記１の「補正の内容」において示したとおりのものである（Ａ〜Ｈは、本願補正発明を分説するために当審で付与した。）。
「【請求項１】
Ａ　遊技領域に設けられた始動領域を遊技球が通過することに基づいて特別遊技を実行するか否かの特別遊技判定を行う判定手段と、
Ｂ　前記特別遊技判定が行われると、当該特別遊技判定の結果を表す図柄表示を行う図柄表示手段と、
Ｃ　前記特別遊技の実行の判定結果を表す図柄表示が行われると前記特別遊技を実行する特別遊技手段と、
Ｄ　前記図柄表示及び前記特別遊技が行われているときに所定の演出を制御する演出制御手段と、
Ｅ　前記遊技領域を流下してアウト球となった遊技球を検出するアウト球検出手段と、
Ｆ　特定の演出モードを設定する特定演出モード設定手段と、
　　前記特定の演出モードの設定に対する設定指示を受け付ける設定指示受付手段と、を備え、
　　前記特定演出モード設定手段は、前記設定指示受付手段が前記設定指示を受け付けると、前記特定の演出モードを設定し、
Ｇ　前記演出制御手段は、前記特定の演出モードが設定されているときに検出された前記アウト球の個数が第１の範囲に属することに応じて第１特定演出を実行する一方、前記特定の演出モードが設定されているときに検出された前記アウト球の個数が、前記第１の範囲と異なる第２の範囲に属することに応じて、前記第１特定演出と異なる第２特定演出を実行する特定演出制御手段を有することを特徴とする
Ｈ　遊技機。」
（２）刊行物に記載された事項
　本願の出願前に頒布された刊行物である特開２００２−５２１９９号公報（以下、「刊行物１」という。）には、図面とともに以下の事項が記載されている（下線は当審で付した。以下同じ。）。
（１−ア）「【請求項２】アウト球口と、複数の図柄を画面上に変動表示する領域を具備する図柄表示装置と、球検出手段を備えた図柄始動領域と、図柄始動領域の球検出手段からの球検出信号に起因して図柄表示装置を変動表示させて、各図柄を確定表示する図柄制御手段とを備え、図柄表示装置に
確定表示された各図柄の組合せが所定の当り図柄態様である場合に、遊技者にとって利益ある特別遊技作動を実行する
前記
図柄制御手段は
所定遊技動作の発生により変化する付加到達値の増加に従って、キャラクタ画像や物語画像が進化することとなる付加演出動画を実行する
（１−イ）「【０００９】ここで、遊技盤面上での、遊技者にとって不利な所定遊技動作の発生に伴って、付加到達値を増加させるようにしたが構成が提案される。例えば、
所定遊技動作がアウト球口への球流入
アウト球累積数に従って、キャラクタ画像や物語画像が進化する
（１−ウ）「【００１５】さらには、付加到達値が記憶される携帯性記憶媒体の挿入口を備えた、データの書き換え可能な入出力装置を具備すると共に、
入出力装置により携帯性記憶媒体から読み取られた付加到達値に基づき付加演出動画を実行開始し
（１−エ）「【００２０】
図２はパチンコ遊技機１の遊技盤４
アウト球口５に入った遊技球
アウト球検知スイッチＳ
０
 により検知される
・・・
【００２５】普通図柄表示装置１０の表示結果が、上述したような所定の当り状態の場合には、センターケース７の直下位置に配設した普通電動役物１５の左右の開閉翼片が約０．５秒拡開して、図柄始動領域１４の開口度を拡開させ、球が入り易い状態に変換する。すなわちこの普通電動役物１５の
球入口は、
図柄始動領域１４
（１−オ）「【００３６】また記憶装置ＲＯＭには、
大当り特別乱数Ｋの結果により
当り，はずれ
停止図柄
を決定する
（１−カ）「【００３８】そして、
図柄始動領域１４を球が通過して特別図柄始動スイッチＳ
１
がオン作動すると、係る検知信号の発生にともない大当り特別乱数Ｋを選定し、当り又ははずれを決定する
特別図柄表示装置６が変動
【００３９】大当り特別乱数Ｋ＝７が選定されて
大当りとなると
【００４０】そして、特別図柄Ａ，Ｂを順次循環変動して停止させ、同一図柄となるようにしてリーチ状態とし、リーチ乱数Ｎにより指定された所定の特殊動作形態を実行した後に、特別図柄Ｃが図柄停止して、大当り図柄乱数Ｌによりあらかじめ決定された、下段に示す「１，１，１」、「２，２，２」、「３，３，３」、「４，４，４」等の数字からなる同一図柄の組み合わせを特別図柄Ａ，Ｂ，Ｃに表出し、
当り図柄態様となるようにする。
【００４１】一方、
Ｋが当りコマでない場合には、ハズレとなり、
ハズレ図柄態様となるようにする
（１−キ）「【００４３】図４（イ）〜（ニ）は、この
付加演出動画Ｘ
各段階の演出レベル画面Ｙ
１
〜Ｙ
４
各演出レベル画面Ｙ
１
〜Ｙ
４
には、その画面レベルを示す
付加到達値が示される
【００４４】ここで、
図４（イ）は
第１演出レベル画面Ｙ
１
【００４５】また、
図４（ロ）
第２演出レベル画面Ｙ
２
（１−ク）上記段落【００２０】及び上記段落【００２５】の記載を参酌すると、第２図には「
図柄始動領域１４
パチンコ遊技機１の遊技盤４
球入口
図柄始動領域１４を球が通過して
　よって、段落【００２０】、【００２５】、【００３８】及び第２図には、「
遊技盤４
球が通過する
図柄始動領域１４
　遊技機の技術分野において、遊技盤において球の通過する領域が、遊技領域であることは、本願出願時の技術常識であるから、段落【００２０】、【００２５】、【００３８】及び第２図には、
遊技領域に設けられた図柄始動領域１４
　さらに、上記段落【００３８】には「
図柄始動領域１４を球が通過して特別図柄始動スイッチＳ
１
がオン作動すると、係る検知信号の発生にともない大当り特別乱数Ｋを選定し、当り又ははずれを決定する
　以上により、段落【００２０】、【００２５】、【００３８】及び第２図には、
遊技領域に設けられた図柄始動領域１４を球が通過して特別図柄始動スイッチＳ
１
がオン作動すると、係る検知信号の発生にともない、大当り特別乱数Ｋを選定し、当り又ははずれを決定する
（１−ケ）上記段落【００３８】には「
特別図柄表示装置６が変動
大当りとなると
当り図柄態様となるようにする。
Ｋが当りコマでない場合には、ハズレとなり、
ハズレ図柄態様となるようにする
　以上のことにより段落【００３８】〜【００４１】には、
特別図柄表示装置６が変動し、大当たりとなると、当り図柄態様となり、ハズレとなると、ハズレ図柄態様となるように、特別図柄を表示する
（１−コ）上記段落【０００９】には、「
所定遊技動作がアウト球口への球流入
アウト球累積数に従って、キャラクタ画像や物語画像が進化する
図柄制御手段は
所定遊技動作の発生により変化する付加到達値の増加に従って、キャラクタ画像や物語画像が進化することとなる付加演出動画を実行する
所定遊技動作であるアウト球口への球流入により変化する付加到達値であるアウト球累積数に従って、キャラクタ画像や物語画像が進化する付加演出画像を実行する図柄制御手段
　また、上記段落【００４３】には、「図４（イ）〜（ニ）は、この
付加演出動画Ｘ
各段階の演出レベル画面Ｙ
１
〜Ｙ
４
レベル１の第１演出レベル画面Ｙ
１
レベル２の第２演出レベル画面Ｙ
２
付加演出動画には、レベル１の第１演出レベル画面Ｙ
１
と、レベル２の第２演出レベル画面Ｙ
２
がある
　以上により、【請求項２】、段落【０００９】、【００４３】〜【００４５】、及び図４（イ）〜図４（ロ）には、
所定遊技動作であるアウト球口への球流入により変化する付加到達値であるアウト球累積数に従って、キャラクタ画像や物語画像が進化する付加演出画像を実行する図柄制御手段を備え、付加演出動画には、レベル１の第１演出レベル画面Ｙ
１
と、レベル２の第２演出レベル画面Ｙ
２
がある
　上記（１−ア）〜（１−キ）の記載事項及び（１−ク）〜（１−コ）の認定事項から、刊行物１には、遊技機に関し、以下の技術事項が記載されていると認められる（以下「刊行物１発明」という。）。
「ａ　遊技領域に設けられた図柄始動領域１４を球が通過して特別図柄始動スイッチＳ１がオン作動すると、係る検知信号の発生にともない、大当り特別乱数Ｋを選定し、当り又ははずれを決定し（認定事項（１−ク））、
ｂ　特別図柄表示装置６が変動し、大当たりとなると、当り図柄態様となり、ハズレとなると、ハズレ図柄態様となるように、特別図柄を表示し（認定事項（１−ケ））、
ｃ　確定表示された各図柄の組合せが所定の当り図柄態様である場合に、遊技者にとって利益ある特別遊技作動を実行し（【請求項２】）、
ｄ，ｇ　所定遊技動作であるアウト球口への球流入により変化する付加到達値であるアウト球累積数に従って、キャラクタ画像や物語画像が進化する付加演出画像を実行する図柄制御手段を備え、付加演出動画には、レベル１の第１演出レベル画面Ｙ１と、レベル２の第２演出レベル画面Ｙ２があり、（認定事項（１−コ））、
　
ｅ　アウト球口５に入った遊技球を検出するアウト球検知スイッチＳ０を備え、（段落【００２０】）、
ｆ　入出力装置により携帯性記憶媒体から読み取られた付加到達値に基づき付加演出動画を実行開始する（段落【００１５】）、
ｈ　パチンコ遊技機１（段落【００２０】）。」
（３）対比
　本願補正発明と刊行物１発明とを対比する。なお、刊行物１発明の構成ａ〜ｈに対応して見出し（ａ）〜（ｈ）を付した。
（ａ）刊行物１発明の「遊技領域に設けられた図柄始動領域１４」は、本願補正発明の「遊技領域に設けられた始動領域」に相当する。　　
　また、刊行物１発明においては、当りに対応する「当り図柄態様」である場合に、「遊技者にとって利益ある特別遊技作動を実行」することを考慮すると、刊行物１発明に記載の「当り又ははずれを決定」することは、本願補正発明における、「特別遊技を実行するか否かの特別遊技判定」に相当する。
　よって、刊行物１発明に記載の、「図柄始動領域１４を球が通過して特別図柄始動スイッチＳ１がオン作動すると、係る検知信号の発生にともない、大当り特別乱数Ｋを選定し、当り又ははずれを決定」することは、本願補正発明の「遊技領域に設けられた始動領域を遊技球が通過することに基づいて特別遊技を実行するか否かの特別遊技判定を行う判定手段」としての機能を有している。
（ｂ）上記（ａ）において検討したように、刊行物１発明の「当り又ははずれを決定」することは、本願補正発明の「特別遊技を実行するか否かの特別遊技判定」に相当し、刊行物１発明の「大当たりとなる」事象及び「ハズレとなる」事象は、「当り又ははずれを決定」した結果生じる事象である。刊行物１発明の「当り図柄態様」及び「ハズレ図柄態様」は、それぞれ「大当たり」及び「ハズレ」の結果の表示であるから、本願補正発明の「特別遊技判定の結果を表す図柄表示」に相当する。
　よって、刊行物１発明の「特別図柄表示装置６が変動し、大当たりとなると、当り図柄態様となり、ハズレとなると、ハズレ図柄態様となるように、特別図柄を表示」することは、本願補正発明における「特別遊技判定が行われると、当該特別遊技判定の結果を表す図柄表示を行う図柄表示」をすることに相当するから、刊行物１発明は、本願補正発明の「図柄表示手段」を有しているといえる。
（ｃ）刊行物１発明の「当り図柄態様」及び「特別遊技作動」は、各々本願補正発明の「特別遊技の実行の判定結果を表す図柄表示」及び「特別遊技」に相当する。　
　よって、刊行物１発明の「確定表示された各図柄の組合せが所定の当り図柄態様である場合に、遊技者にとって利益ある特別遊技作動を実行」することは、本願補正発明の「特別遊技の実行の判定結果を表す図柄表示が行われると前記特別遊技を実行」することに相当するから、刊行物１発明は本願補正発明の「特別遊技手段」を有しているといえる。
（ｄ）刊行物１発明の「付加演出動画」は、「キャラクタ画像や物語画像が進化」するものであり、また、「レベル１の第１演出レベル画面Ｙ１と、レベル２の第２演出レベル画面Ｙ２」を有するから、本願補正発明の「所定の演出」に相当するといえる。
　また、刊行物１発明は「所定遊技動作であるアウト球口への球流入により変化する付加到達値であるアウト球累積数に従って、キャラクタ画像や物語画像が進化する付加演出動画を実行する」ものであり、アウト球への球流入は、図柄表示及び特別遊技が行われている時に、継続して発生することは明らかであるから、刊行物１発明においては、図柄表示及び特別遊技が行われているときに、「付加演出動画」が実行されているといえる。
　よって、刊行物１発明の「所定遊技動作であるアウト球口への球流入により変化する付加到達値であるアウト球累積数に従って、キャラクタ画像や物語画像が進化する付加演出画像を実行する図柄制御手段を備え、付加演出動画には、レベル１の第１演出レベル画面Ｙ１と、レベル２の第２演出レベル画面Ｙ２が」あることは、本願補正発明の「前記図柄表示及び前記特別遊技が行われているときに所定の演出を制御する」ことに相当するから、刊行物１発明は、本願発明の「前記図柄表示及び前記特別遊技が行われているときに所定の演出を制御する演出制御手段」を有しているといえる。
（ｅ）刊行物１発明の「アウト球口５に入った遊技球」は、本願補正発明の「前記遊技領域を流下してアウト球となった遊技球」に相当する。
　よって、刊行物１発明の「アウト球口５に入った遊技球を検出するアウト球検知スイッチＳ０」は、本願補正発明の「前記遊技領域を流下してアウト球となった遊技球を検出するアウト球検出手段」に相当する。
（ｆ）また、上記（ｄ）で検討したように、刊行物１発明の「付加演出動画」は、本願補正発明の「所定の演出」に相当する。よって、「付加演出動画を実行」する状態は、本願補正発明の「特定の演出モードを設定」した状態に相当する。
　刊行物１発明の「入出力装置」は、「携帯性記憶媒体から」「付加到達値」を読み取るものであり、読み取られた「付加到達値に基づき」「付加演出動画を実行」する状態（本願補正発明の「特定の演出モードを設定」した状態）が実行開始される。
　そうすると、刊行物１発明の「入出力装置」が、「携帯性記憶媒体から」「付加到達値」を読み取ることは、「携帯性記憶媒体から」の、「付加演出動画を実行開始」するための設定指示を受け付けることを意味するといえる。また、刊行物１発明においては、「入出力装置」が読み取った「付加到達値」に基づき「付加演出動画を実行開始」することから、刊行物１発明の「入出力装置」は、「付加到達値」に基づいた「付加演出動画を実行」する状態を設定する機能を有しているといえる。
　よって、刊行物１発明の「入出力装置」は、本願補正発明の「特定演出モード設定手段」及び「設定指示受付手段」に相当する。
　以上により、刊行物１発明の「入出力装置により携帯性記憶媒体から読み取られた付加到達値に基づき付加演出動画を実行開始」することは、本願補正発明の「特定の演出モードを設定する特定演出モード設定手段と、前記特定の演出モードの設定に対する設定指示を受け付ける設定指示受付手段と、を備え、前記特定演出モード設定手段は、前記設定指示受付手段が前記設定指示を受け付けると、前記特定の演出モードを設定」することに相当する。
（ｇ）刊行物１発明の「図柄制御手段」、「アウト球累積数」、「第１演出レベル画面Ｙ１」及び「第２演出レベル画面Ｙ２」は、それぞれ、本願補正発明の「演出制御手段」、「アウト球の個数」、「第１特定演出」及び「第２特定演出」に相当する。
　一方、刊行物１発明では、「第１演出レベル画面Ｙ１」及び「第２演出レベル画面Ｙ２」に対応する「アウト球累積数」は異なるといえるが、「アウト球累積数」の範囲は明確でない。
　しかしながら、刊行物１発明の「図柄制御手段は、所定遊技動作であるアウト球口への球流入により変化する付加到達値であるアウト球累積数に従って、キャラクタ画像や物語画像が進化する付加演出動画を実行し、付加演出動画には、レベル１の第１演出レベル画面Ｙ１と、レベル２の第２演出レベル画面Ｙ２がある」ことは、本願補正発明と、少なくとも、「演出制御手段は、前記特定の演出モードが設定されているときに検出されたアウト球の個数」「に応じて第１特定演出を実行する一方、前記特定の演出モードが設定されているときに検出された前記アウト球の個数が」、前記第１特定演出に対応したアウト球の個数と異なることに応じて、「前記第１特定演出と異なる第２特定演出を実行する特定演出制御手段を有する」点で共通する。
（ｈ）刊行物１発明の「パチンコ遊技機１」は、本願補正発明の「遊技機」に相当する。
　（ａ）〜（ｈ）における検討事項により、本願補正発明と刊行物１発明とは、
「Ａ　遊技領域に設けられた始動領域を遊技球が通過することに基づいて特別遊技を実行するか否かの特別遊技判定を行う判定手段と、
Ｂ　前記特別遊技判定が行われると、当該特別遊技判定の結果を表す図柄表示を行う図柄表示手段と、
Ｃ　前記特別遊技の実行の判定結果を表す図柄表示が行われると前記特別遊技を実行する特別遊技手段と、
Ｄ　前記図柄表示及び前記特別遊技が行われているときに所定の演出を制御する演出制御手段と、
Ｅ　前記遊技領域を流下してアウト球となった遊技球を検出するアウト球検出手段と、
Ｆ　特定の演出モードを設定する特定演出モード設定手段と、
　　前記特定の演出モードの設定に対する設定指示を受け付ける設定指示受付手段と、を備え、
　　前記特定演出モード設定手段は、前記設定指示受付手段が前記設定指示を受け付けると、前記特定の演出モードを設定し、
Ｇ’前記演出制御手段は、前記特定の演出モードが設定されているときに検出されたアウト球の個数に応じて第１特定演出を実行する一方、前記特定の演出モードが設定されているときに検出された前記アウト球の個数が、前記第１特定演出に対応したアウト球の個数と異なることに応じて、前記第１特定演出と異なる第２特定演出を実行する特定演出制御手段を有する
Ｈ　遊技機」
で一致し、以下の点で相違する。
［相違点］
　本願補正発明は、「前記特定の演出モードが設定されているときに検出されたアウト球の個数が第１の範囲に属することに応じて第１特定演出を実行する一方、前記アウト球の個数が、前記第１の範囲と異なる第２の範囲に属することに応じて、前記第１特定演出と異なる第２特定演出を実行する特定演出制御手段」を有するのに対して、刊行物１発明は、付加到達値としてのアウト球累積数に従って実行する付加演出動画として、レベル１の第１演出レベル画面Ｙ１（第１特定演出）と、レベル２の第２演出レベル画面Ｙ２（第２特定演出）を有するものの、第１演出レベル画面Ｙ１及び第２演出レベル画面Ｙ２に対応した、付加到達値としてのアウト球累積数の範囲が不明である点。
（４）判断　
　上記［相違点］について検討する。刊行物１発明においては、付加到達値としてのアウト球累積数によって、第１特定演出が実行される場合と、第１特定演出とは異なる第２特定演出が実行される場合とがある。すなわち、刊行物１発明においては、付加到達値としてのアウト球累積数により、どのような特定演出を実行するのかが異なって選択されている。
　制御技術一般において、何らかの事象が発生する数に応じて、複数の制御内容のうちから１つを実行するために、事象の発生する数の範囲と、各々の制御内容とを、予め対応付けておくことは、制御内容を決定する手段の一つとして適宜になされる設計的な事項である。よって、刊行物１発明において、付加到達値としてのアウト球累積数に応じて、第１特定演出及び第２特定演出を行うに際して、第１特定演出及び第２特定演出に対応するアウト球累積数の範囲を各々定めることは、当業者が適宜なし得ることに過ぎない。
　そして、刊行物１発明において、第１特定演出及び第２特定演出にそれぞれ対応したアウト球累積数の「第１の範囲」及び「第１の範囲と異なる第２の範囲」を有する本願補正発明とすることは、当業者が容易になし得ることである。
　以上のように、本願補正発明は、当業者が刊行物１発明に基づいて容易に発明をすることができたものであるから、特許法第２９条第２項の規定により、特許出願の際独立して特許を受けることができない。
４．むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について　
１．本願発明
　本件補正（平成２７年１１月２日付け手続補正）は上記のとおり却下されたので、本願の請求項１、２に係る発明は、平成２７年５月２５日付けの手続補正書により補正された、特許請求の範囲の請求項１、２に記載されたとおりのものであるところ、その請求項１に係る発明は、次のとおりのものである（Ａ〜Ｅ，Ｆ”〜Ｇ”，Ｈは、本願発明を分説するために当審で付した。）。
「【請求項１】
Ａ　遊技領域に設けられた始動領域を遊技球が通過することに基づいて特別遊技を実行するか否かの特別遊技判定を行う判定手段と、
Ｂ　前記特別遊技判定が行われると、当該特別遊技判定の結果を表す図柄表示を行う図柄表示手段と、
Ｃ　前記特別遊技の実行の判定結果を表す図柄表示が行われると前記特別遊技を実行する特別遊技手段と、
Ｄ　前記図柄表示及び前記特別遊技が行われているときに所定の演出を制御する演出制御手段と、
Ｅ　前記遊技領域を流下してアウト球となった遊技球を検出するアウト球検出手段と、
Ｆ”特定の演出モードを設定する特定演出モード設定手段と、を備え、
Ｇ”前記演出制御手段は、
　　前記特定の演出モードが設定されているとき、前記アウト球に関する所定条件が成立していると特定演出を実行し、
　　前記特定の演出モードが設定されているとき、前記アウト球に関する所定条件が成立していないと前記特定演出を実行しないことを特徴とする
Ｈ　遊技機。」
２．刊行物に記載された事項
　原査定の拒絶の理由（平成２７年３月２７日付け拒絶理由通知）に引用文献１として引用された特開２０１１−３０８３５号公報（以下「刊行物２」という。）には、図面とともに以下の事項が記載されている（下線は当審で付した。以下同じ。）。
（２−ア）「【請求項１】 遊技盤に装備された始動口と、始動口への遊技球の入賞を契機に乱数値を取得する乱数取得手段と、乱数取得手段で取得された乱数値に基づいて特別図柄の種類を判定する乱数判定手段と、乱数判定手段で判定された種類の特別図柄を図柄変動後に表示する図柄表示手段と、遊技上の有利性が相対的に異なる複数種類の遊技状態の何れか１つを図柄表示手段に表示された特別図柄の種類に基づいて択一的に設定する遊技状態制御手段と、遊技演出用の演出手段と、演出手段を制御する演出制御手段とを備えた
パチンコ遊技機
　前記
遊技盤に装備され遊技球を遊技盤の外部へ排出する為のアウト口と、アウト口に付設されたアウト球検知スイッチ
　前記演出制御手段は、
　前記アウト球検知スイッチから信号を受けて、遊技演出の進行状況に基づいてアウト口への遊技球の入球を演出変更の契機として有効とするか否か判定するアウト球有効判定手段と、
　前記アウト球有効判定手段で有効と判定されたアウト口への遊技球の入球に基づいて演出手段に実行させる演出を変更する演出変更手段と、
　を備えたことを特徴とするパチンコ遊技機。」
（２−イ）「【００１８】
図１に示すように
遊技盤４の前面側に遊技領域５が形成されている
（２−ウ）「【００２０】
図１
に示すように
遊技盤４には、
第１始動口１１、第２始動口装置１２
が、図示の配置にて装備され
（２−エ）「【００４８】ここで、
乱数取得手段４０と乱数判定手段４１により、始動口１１，１２ａへの遊技球の入賞に基づいて、大当り抽選
が行われることになり、大当り図柄
が選択表示されることで、大当り抽選で当選し
たことになる。
・・・
【００５０】図７、図９に示すように、
遊技状態制御手段４３は、
特別図柄表示器１９ａ，１９ｂの何れかに大当り図柄
が停止表示された場合
大当り抽選で当選した場合
、大当り遊技状態に移行させる
（２−オ）「【００５７】次に、図１０に示すように、
サブ制御装置２５（演出制御基板２７、画像制御基板２８、ランプ制御基板２９）により
演出制御手段５０が構成され、この演出制御手段５０が、図示の手段５１〜５９を備えている
・・・
【００６２】 
先読み情報演出制御手段５４は、
保留されている
乱数値について
先読み情報
を報知する演出を演出手段４５に実行させ
複数の遊技球が入ったアウト口１６ａの組合せ又は順序が予め設定された組合せ又は順序になった場合に、保留されている
乱数値についての先読み情報を報知する演出を実行させ
遊技球が予め設定された１又は複数のアウト口１６ａに入った場合に、保留されている
乱数値についての先読み情報を報知する演出を実行させる。
（２−カ）「【０１２５】さて、
図４６に示すように
画像制御基板２８が実行する画像制御処理では、
変動演出パターンを画像表示器１８に表示させ
変動演出パターンの表示を停止させ
【０１２６】また、先読み情報コマンドを受信した場合（Ｓ３０５；Yes ）、そのコマンドが示す先読み情報を画像表示器１８に表示させる（Ｓ３０６）。また、オープニング演出開始コマンドを受信した場合（Ｓ３０７；Yes ）、そのコマンドが示す
当り演出パターンを画像表示器１８に表示させ
当りエンディング演出パターンを画像表示器１８に表示させる
（２−キ）「【０１３６】（１０）
先読み演出モード設定手段５５が所定条件の成立時に先読み演出モードを設定した場合、
先読み情報演出制御手段５４が
先読み情報を報知する演出を実行させる
（２−ク）上記段落【００１８】には、「
図１に示すように
遊技盤４の前面側に遊技領域５が形成されている。
図１
に示すように
遊技盤４には、
第１始動口１１、第２始動口装置１２
が、図示の配置にて装備され
　これらの記載を参酌すると、図１には、
遊技領域５に設けられた第１始動口１１、第２始動口１２ａ
　また、上記段落【００４８】、【００５０】には「
乱数取得手段４０と乱数判定手段４１により、始動口１１，１２ａへの遊技球の入賞に基づいて、大当り抽選
が行われることになり、大当り図柄
が選択表示されることで、大当り抽選で当選し、
遊技状態制御手段４３は、
大当り抽選で当選した場合、大当り遊技状態に移行させる
　以上により、段落【００１８】、【００２０】、【００４８】、【００５０】及び図１には、
遊技領域５に設けられた第１始動口１１、第２始動口１２ａへの遊技球の入賞に基づいて行われる大当り抽選で当選した場合、大当り遊技状態に移行させる遊技制御手段４３
（２−ケ）上記段落【００４８】には、「
大当り抽選
が行われることになり、大当り図柄
が選択表示されることで、大当り抽選で当選し、
たことになる。
特別図柄表示器１９ａ，１９ｂの何れかに大当り図柄
が停止表示された場合、
大当り遊技状態に移行させる
　この記載から、段落【００４８】、【００５０】には、
大当り抽選で当選したことで選択表示される大当り図柄を停止表示する特別図柄表示器１９ａ，１９ｂ
（２−コ）上記段落【０１２５】には、「
図４６に示すように
画像制御基板２８が実行する画像制御処理では、
変動演出パターンを画像表示器１８に表示させ
変動演出パターンの表示を停止させ
当り演出パターンを画像表示器１８に表示させ
当りエンディング演出パターンを画像表示器１８に表示させる
サブ制御装置２５（演出制御基板２７、画像制御基板２８、ランプ制御基板２９）により
　よって、段落【００５７】、【０１２５】〜【０１２６】の記載を参酌すると、図４６には、
画像表示器１８に、変動演出パターンを表示させ、変動演出パターンの表示を停止させ、当り演出パターンを表示させ、当りエンディング演出パターンを表示させる画像制御処理を行うサブ制御装置２５
（２−サ）上記段落【００６２】には「
先読み情報演出制御手段５４は、
保留されている
乱数値について
先読み情報
を報知する演出を演出手段４５に実行させ
複数の遊技球が入ったアウト口１６ａの組合せ又は順序が予め設定された組合せ又は順序になった場合に、保留されている
乱数値についての先読み情報を報知する演出を実行させ
遊技球が予め設定された１又は複数のアウト口１６ａに入った場合に、保留されている
乱数値についての先読み情報を報知する演出を実行させる。
　段落【００６２】の記載により、
先読み情報演出制御手段５４は、「複数の遊技球が入ったアウト口１６ａの組合せ又は順序が予め設定された組合せ又は順序になった場合
遊技球が予め設定された１又は複数のアウト口１６ａに入った場合
保留されている乱数値についての先読み情報を報知する演出を演出手段４５に実行させる
　また、上記段落【０１３６】には、「
先読み演出モード設定手段５５が
先読み演出モードを設定した場合、
先読み情報演出制御手段５４が
先読み情報を報知する演出を実行させる
　そして、段落【００５７】には「
サブ制御装置２５（演出制御基板２７、画像制御基板２８、ランプ制御基板２９）により
演出制御手段５０が構成され、この演出制御手段５０が、図示の手段５１〜５９を備えている
　以上により、段落【００５７】、【００６２】、【０１３６】には、
サブ制御装置２５は、先読み演出モード設定手段５５が先読み演出モードを設定した場合、複数の遊技球が入ったアウト口１６ａの組合せ又は順序が予め設定された組合せ又は順序になるか、或いは、遊技球が予め設定された１又は複数のアウト口１６ａに入った場合に、保留されている乱数値についての先読み情報を報知する演出を演出手段４５に実行させる
　上記（２−ア）〜（２−キ）の記載事項及び（２−ク）〜（２−サ）の認定事項から、刊行物２には、遊技機に関し、以下の技術事項が記載されていると認められる（以下「刊行物２発明」という。）。
「ａ　遊技領域５に設けられた第１始動口１１、第２始動口１２ａへの遊技球の入賞に基づいて行われる大当り抽選で当選した場合、大当り遊技状態に移行させる遊技制御手段４３と（認定事項（２−ク））、
ｂ　大当り抽選で当選したことで選択表示される大当り図柄を停止表示する特別図柄表示器１９ａ，１９ｂと（認定事項（２−ケ））、
ｃ　大当り図柄が停止表示された場合、大当り遊技状態に移行させる遊技状態制御手段４３と（段落【００５０】）、
ｄ　画像表示器１８に、変動演出パターンを表示させ、変動演出パターンの表示を停止させ、当り演出パターンを表示させ、当りエンディング演出パターンを表示させる画像制御処理を行うサブ制御装置２５と（認定事項（２−コ））、
ｅ　遊技盤に装備され遊技球を遊技盤の外部へ排出する為のアウト口に付設されたアウト球検知スイッチと（【請求項１】）、
ｆ　所定条件の成立時に先読み演出モードを設定する先読み演出モード設定手段５５とを有し（段落【０１３６】）、
ｇ　サブ制御装置２５は、先読み演出モード設定手段５５が先読み演出モードを設定した場合、複数の遊技球が入ったアウト口１６ａの組合せ又は順序が予め設定された組合せ又は順序になるか、或いは、遊技球が予め設定された１又は複数のアウト口１６ａに入った場合に、保留されている乱数値についての先読み情報を報知する演出を演出手段４５に実行させる（認定事項（２−サ））、
ｈ　パチンコ遊技機（【請求項１】）。」
３．対比・判断
　本願発明と刊行物２発明とを対比する。なお、刊行物２発明の構成ａ〜ｈに対応して見出し（ａ）〜（ｈ）を付した。
（ａ）「遊技領域５に設けられた第１始動口１１、第２始動口１２ａ」は、本願発明の「遊技領域に設けられた始動領域」に相当し、刊行物２発明における「大当り遊技状態」は、本願発明の「特別遊技」に相当し、刊行物２発明の「大当り抽選」は本願発明の「特別遊技判定」に相当する。
　よって、刊行物２発明の「遊技領域５に設けられた第１始動口１１、第２始動口１２ａへの遊技球の入賞に基づいて行われる大当り抽選で当選した場合、大当り遊技状態に移行させる遊技制御手段４３」は、本願発明の「遊技領域に設けられた始動領域を遊技球が通過することに基づいて特別遊技を実行するか否かの特別遊技判定を行う判定手段」に相当する。
（ｂ）上記（ａ）で検討したように、刊行物２発明の「大当り抽選」は本願発明の「特別遊技判定」に相当する。
　また、刊行物２発明の「大当り図柄」は本願発明の「特別遊技判定の結果を表す図柄」に相当し、刊行物２発明の「特別図柄表示器１９ａ，１９ｂ」は、本願発明の「図柄表示手段」に相当する。
　よって、刊行物２発明の「大当り抽選で選択表示される大当り図柄を停止表示する特別図柄表示器１９ａ，１９ｂ」は、本願発明の「前記特別遊技判定が行われると、当該特別遊技判定の結果を表す図柄表示を行う図柄表示手段」に相当する。
（ｃ）上記（ａ）で検討したように、刊行物２発明の「大当り遊技状態」は、本願発明の「特別遊技」に相当するから、刊行物２発明の「大当り図柄が停止表示された場合、大当り遊技状態に移行させる遊技状態制御手段４３」は、本願発明の「前記特別遊技の実行の判定結果を表す図柄表示が行われると前記特別遊技を実行する特別遊技手段」に相当する。
（ｄ）刊行物２発明の、「画像表示器１８」における、「変動演出パターンを表示させ、変動演出パターンの表示を停止させ」ること、「当り演出パターンを表示させ」ること、及び、「当りエンディング演出パターンを表示させる」ことは、何れも本願発明の「所定の演出」に相当する。
　そして、刊行物２発明において「画像表示器１８」における「変動演出パターンの表示を停止させ」ることが行われるのは、遊技機分野の技術常識を考慮すると、「特別図柄表示器１９ａ，１９ｂ」において「大当り図柄が停止表示され」ている時であることは明らかである。
　また、刊行物２発明において、「当り演出パターンを表示させ」ること、及び、「当りエンディング演出パターンを表示させる」ことが行われるのは、「大当り遊技」が行われている時であることは明らかである。
　以上により、刊行物２発明の「画像表示器１８に、変動演出パターンを表示させ、変動演出パターンの表示を停止させ、当り演出パターンを表示させ、当りエンディング演出パターンを表示させる画像制御処理を行うサブ制御装置２５」は、本願発明における「前記図柄表示及び前記特別遊技が行われているときに所定の演出を制御する演出制御手段」に相当する。
（ｅ）刊行物２発明の「アウト球検知スイッチ」は、本願発明の「アウト球検出手段」に相当する。
　よって、刊行物２発明の「遊技盤に装備され遊技球を遊技盤の外部へ排出する為のアウト口に付設されたアウト球検知スイッチ」は、本願発明の「遊技領域を流下してアウト球となった遊技球を検出するアウト球検出手段」に相当する。
（ｆ）刊行物２発明の「先読み演出モード」は、本願発明の「特定の演出モード」に相当するから、刊行物２発明の「所定条件の成立時に先読み演出モードを設定する先読み演出モード設定手段５５」は、本願発明の「特定の演出モードを設定する特定演出モード設定手段」に相当する。
（ｇ）刊行物２発明の「先読み演出モード設定手段５５が先読み演出モードを設定した場合」は、本願発明の「前記特定の演出モードが設定されているとき」に相当する。
　また、刊行物２発明の「複数の遊技球が入ったアウト口１６ａの組合せ又は順序が予め設定された組合せ又は順序になるか、或いは、遊技球が予め設定された１又は複数のアウト口１６ａに入った場合」は、本願発明の「所定の条件が成立」に相当する。
　そして、刊行物２発明の「保留されている乱数値についての先読み情報を報知する演出」は、本願発明の「特定演出」に相当する。
　刊行物２発明においては、「複数の遊技球が入ったアウト口１６ａの組合せ又は順序が予め設定された組合せ又は順序になるか、或いは、遊技球が予め設定された１又は複数のアウト口１６ａに入った場合」でない場合は、「保留されている乱数値についての先読み情報を報知する演出」は行われないことは明らかである。
　以上により、刊行物２発明の「サブ制御装置２５は、先読み演出モード設定手段５５が先読み演出モードを設定した場合、複数の遊技球が入ったアウト口１６ａの組合せ又は順序が予め設定された組合せ又は順序になるか、或いは、遊技球が予め設定された１又は複数のアウト口１６ａに入った場合に、保留されている乱数値についての先読み情報を報知する演出を演出手段４５に実行させる」ことは、本願発明の「前記演出制御手段は、前記特定の演出モードが設定されているとき、前記アウト球に関する所定条件が成立していると特定演出を実行し、前記特定の演出モードが設定されているとき、前記アウト球に関する所定条件が成立していないと前記特定演出を実行しない」ことに相当する。
　
（ｈ）刊行物２発明の「パチンコ遊技機」は、本願発明の「遊技機」に相当する。
　
　したがって、本願発明と、刊行物２発明とは、
「遊技領域に設けられた始動領域を遊技球が通過することに基づいて特別遊技を実行するか否かの特別遊技判定を行う判定手段と、
　前記特別遊技判定が行われると、当該特別遊技判定の結果を表す図柄表示を行う図柄表示手段と、
　前記特別遊技の実行の判定結果を表す図柄表示が行われると前記特別遊技を実行する特別遊技手段と、
　前記図柄表示及び前記特別遊技が行われているときに所定の演出を制御する演出制御手段と、
　前記遊技領域を流下してアウト球となった遊技球を検出するアウト球検出手段と、
　特定の演出モードを設定する特定演出モード設定手段と、を備え、
　前記演出制御手段は、
　前記特定の演出モードが設定されているとき、前記アウト球に関する所定条件が成立していると特定演出を実行し、
　前記特定の演出モードが設定されているとき、前記アウト球に関する所定条件が成立していないと前記特定演出を実行しないことを特徴とする遊技機。」
で一致し、両者の間に差異はない。
　したがって、本願発明は刊行物２発明と同一であり、刊行物２に記載された発明である。
４．むすび
　以上のとおりであるから、本願発明は、特許法第２９条第１項第３号の規定に基づいて特許を受けることができないものである。
　したがって、その余の請求項について検討するまでもなく、本願は拒絶すべきである。　
　よって、結論のとおり審決する。